(57)【特許請求の範囲】
【請求項１】
第一収容室と、その一端に設置し且つ前記第一収容室に接続する前凸接部と、前記前凸接部に相対的に設け且つ前記第一収容室に接続する後凸接部と、前記前凸接部及び前記後凸接部に平行且つ横手方向にそれぞれ接続して前記第一収容室に接続する二つの横支持部と、前記前凸接部及び前記後凸接部に平行且つ長手方向にそれぞれ接続して前記第一収容室に接続する二つの縦支持部とを包括し、そのうち、前記前凸接部は前記第一収容室と相通する開口を包括し、前記横支持部は前記第一収容室と相通する第一接続口を包括し、前記後凸接部は前記第一収容室と相通する第二接続口を包括し、もう一つの横支持部は前記第一収容室と相通する第三接続口を包括し、前記第一接続口、前記第二接続口及び前記第三接続口が同じ孔径である本体と、
前記第一収容室内に設置する電気制御コンポーネントと、
第一接続口、第二接続口或いは第三接続口に接続する配線箱コンポーネントと、
ベース及び前記ベースの一端に接続する照明素子を包括する照明装置と、前記第一接続口、前記第二接続口或いは前記第三接続口に接続する第一ジョイント部及び前記照明素子から離れた前記ベースの一端に接続する第二ジョイント部をそれぞれ両端に包括する管体を包括する接続装置とを包括する照明ユニットと、
前記第一接続口、前記第二接続口或いは前記第三接続口に接続する第一凸部を包含する第一凸プレートとを包括する固定装置とを包括することを特徴とするモジュール型ＬＥＤ防爆ランプ。
【請求項２】
前記第一ジョイント部及び前記第二ジョイント部は、電気ケーブル密封装置を螺接するために用いる少なくとも一つの螺接孔をそれぞれ有し、前記電気ケーブル密封装置は、前記螺接孔に設ける圧縮素子と、前記螺接孔に設け且つ前記圧縮素子の両端にそれぞれ係合する少なくとも二つのパッキンと、前記圧縮素子の一端に係合して前記螺接孔と螺接する圧着ボルトと、前記圧着ボルトに接続する挟持素子とを包括することを特徴とする請求項１に記載のモジュール型ＬＥＤ防爆ランプ。
【請求項３】
第一収容室と、その一端に設置し且つ前記第一収容室に接続する前凸接部と、前記前凸接部に相対的に設け且つ前記第一収容室に接続する後凸接部と、前記前凸接部及び前記後凸接部に平行且つ横手方向にそれぞれ接続して前記第一収容室に接続する二つの横支持部と、前記前凸接部及び前記後凸接部に平行且つ長手方向にそれぞれ接続して前記第一収容室に接続する二つの縦支持部とを包括し、そのうち、前記前凸接部は前記第一収容室と相通する開口を包括し、前記横支持部は前記第一収容室と相通する第一接続口を包括し、前記後凸接部は前記第一収容室と相通する第二接続口を包括し、もう一つの横支持部は前記第一収容室と相通する第三接続口を包括し、前記第一接続口、前記第二接続口及び前記第三接続口が同じ孔径である本体と、
前記第一収容室内に設置する電気制御コンポーネントと、
第一接続口、第二接続口或いは第三接続口に接続する配線箱コンポーネントと、
ベース及び前記ベースの一端に接続する照明素子を包括する照明装置と、前記第一接続口、前記第二接続口或いは前記第三接続口に接続する第一ジョイント部及び前記照明素子から離れた前記ベースの一端に接続する第二ジョイント部をそれぞれ両端に包括する管体を包括する接続装置とを包括する照明ユニットと、
管体コンポーネントを包括し、前記管体コンポーネントは前記第一接続口、前記第二接続口或いは前記第三接続口に接続する第三ジョイント部及び前記第三ジョイント部の前記管体コンポーネントから離れた一端に位置する第四ジョイント部を包括する固定装置と、
前記第四ジョイント部に接続する第五ジョイント部を包括する柱体とを包括することを特徴とするモジュール型ＬＥＤ防爆ランプ。
【請求項４】
前記第一ジョイント部、前記第二ジョイント部及び前記第三ジョイント部は、電気ケーブル密封装置を螺接するために用いる少なくとも一つの螺接孔をそれぞれ有し、前記電気ケーブル密封装置は、前記螺接孔に設ける圧縮素子と、前記螺接孔に設け且つ前記圧縮素子の両端にそれぞれ係合する少なくとも二つのパッキンと、前記圧縮素子の一端に係合して前記螺接孔と螺接する圧着ボルトと、前記圧着ボルトに接続する挟持素子とを包括することを特徴とする請求項３に記載のモジュール型ＬＥＤ防爆ランプ。
【発明の詳細な説明】
【技術分野】
【０００１】
本発明は、特にモジュール化して様々な実施形態に設置可能なモジュール型ＬＥＤ防爆ランプに関するものである。
【背景技術】
【０００２】
現在、化学プラント、石油化学プラント、油田、炭鉱等の産業拠点において、可燃性、爆発性、酸化性、腐食性等の気体や粉塵、又は化学製品が常時、散布或いは貯蔵しているため、これ等の地点では、防爆性を有さないランプの老朽化或いは故障等により火気が発生して上記の気体や粉塵、又は化学製品が爆発する事故を未然に防ぐように、防爆ランプを使用しなければならない。
【０００３】
しかし、従来のＬＥＤ防爆ランプを異なる環境に設置する場合、その環境に基づき、設置に必要な単一種類の吊り具を有するＬＥＤ防爆ランプを設置しなければならない。そのため、各種吊り具を各自設置するＬＥＤ防爆ランプは、対応するものとは異なるもう一つの爆発性環境において使用することはできず、また、設置に必要な種類のＬＥＤ防爆ランプが不足した場合、もう一種類のＬＥＤ防爆ランプに置き換えることもできず、余計に時間や費用を費やす必要があるため、製造コストを浪費してしまう。さらにまた、ＬＥＤ防爆ランプが損傷した場合、損傷した部分だけを取り外して修復することができず、作業員は修復に多くの時間と費用を費やさなければならないため、従来のＬＥＤ防爆ランプを改良する必要がある。
【発明の概要】
【発明が解決しようとする課題】
【０００４】
本発明の主要な目的は、従来のＬＥＤ防爆ランプが様々な実施形態に設置できないという問題を解決することにある。
【課題を解決するための手段】
【０００５】
上述の目的を達成するため、第一収容室と、その一端に設置し且つ前記第一収容室に接続する前凸接部と、前記前凸接部に相対的に設け且つ前記第一収容室に接続する後凸接部と、前記前凸接部及び前記後凸接部に平行且つ横手方向にそれぞれ接続して前記第一収容室に接続する二つの横支持部と、前記前凸接部及び前記後凸接部に平行且つ長手方向にそれぞれ接続して前記第一収容室に接続する二つの縦支持部とを包括し、そのうち、前記前凸接部は前記第一収容室と相通する開口を包括し、前記横支持部は前記第一収容室と相通する第一接続口を包括し、前記後凸接部は前記第一収容室と相通する第二接続口を包括し、もうひとつの横支持部は前記第一収容室と相通する第三接続口を包括し、前記第一接続口、前記第二接続口及び前記第三接続口が同じ孔径である本体と、前記第一収容室内に設置する電気制御コンポーネントと、第一接続口、第二接続口或いは第三接続口に接続する配線箱コンポーネントと、ベース及び前記ベースの一端に接続する照明素子を包括する照明装置と、前記第一接続口、前記第二接続口或いは前記第三接続口に接続する第一ジョイント部及び前記照明素子から離れた前記ベースの一端に接続する第二ジョイント部をそれぞれ両端に包括する管体を包括する接続装置とを包括する照明ユニットと、前記第一接続口、前記第二接続口或いは前記第三接続口に接続する第一凸部を包含する第一凸プレートとを包括する固定装置を包括するモジュール型ＬＥＤ防爆ランプを提供している。
【発明の効果】
【０００６】
本発明は、以下のような利点を有している。
第一に、本発明は、本体が同じ孔径である前記第一接続口、前記第二接続口及び前記第三接続口を包括することで、設置位置に基づき、前記配線箱コンポーネント、前記照明ユニット或いは前記固定装置をそれぞれ設置することができ、様々な実施形態に設置可能なＬＥＤ防爆ランプを達している。
第二に、本発明は、本体が同じ孔径である前記第一接続口、前記第二接続口及び前記第三接続口を包括することで、前記配線箱コンポーネント、前記照明ユニット或いは前記固定装置に係る組立の利便性、単独による修復及び修復コストの削減を有効的に改善することができる。
【図面の簡単な説明】
【０００７】
【図１】本発明に係る本体、電気制御コンポーネント及び配線箱コンポーネントを示す斜視分解図である。
【図２】本発明に係る本体、照明ユニット及び電気ケーブル密封装置を示す斜視分解図である。
【図３】本発明に係る本体及び固定装置を示す斜視分解図である。
【図４Ａ】本発明に係る第一実施例を示す斜視組合図である。
【図４Ｂ】図４Ａの４Ｂ−４Ｂ線断面図である。
【図５】本発明に係る第一実施例の実施を示す斜視図である。
【図６】本発明に係る第二実施例を示す斜視組合図である。
【図７】本発明に係る第三実施例を示す斜視組合図である。
【図８】本発明に係る第三実施例の実施を示す斜視図である。
【図９】本発明に係る第四実施例を示す斜視分解図である。
【図１０】本発明に係る第四実施例の実施を示す斜視図である。
【図１１】本発明に係る第五実施例の実施を示す斜視分解図である。
【図１２】本発明に係る第五実施例の実施を示す斜視組合図である。
【発明を実施するための形態】
【０００８】
添付の図を参照しつつ、以下において、本発明の構成はどのように組合せ、使用するかを詳細に説明することで、本発明の目的、技術内容、特徴及びそれが達成する効果をより容易に理解することができる。
【０００９】
図１、図６、図７、図９及び図１１にあるように、本発明は、モジュール化して様々な実施形態に設置可能なモジュール型ＬＥＤ防爆ランプ１である。
【００１０】
図１乃至図５を参照すると、本発明に係る第一実施例であって、前記モジュール型ＬＥＤ防爆ランプ１は、本体２と、電気制御コンポーネント３と、配線箱コンポーネント４と、照明ユニット５と、固定装置６とを包括している。前記本体２は、第一収容室２１と、前記本体２の一端に設置し且つ前記第一収容室２１に接続する前凸接部２０と、前記前凸接部２０に相対的に設け且つ前記第一収容室２１に接続する後凸接部２０１と、前記前凸接部２０及び前記後凸接部２０１に平行且つ横手方向にそれぞれ接続して前記第一収容室２１に接続する二つの横支持部２０２と、前記前凸接部２０、前記後凸接部２０１及び前記二つの横支持部２０２に平行且つ長手方向にそれぞれ接続して前記第一収容室２１に接続する二つの縦支持部２０３とを包括している。前記前凸接部２０は、前記第一収容室２１と相通し且つ矩形を呈する開口２２及び前記前凸接部２０に分布するように設け且つ前記開口２２に近接する複数の第四螺設孔２２１を包括している。前記後凸接部２０１は、前記第一収容室２１と相通する第二接続口２３２及び前記後凸接部２０１に分布するように設け且つ前記第二接続口２３２に近接する複数の第二螺設孔２３５を包括している。前記本体２の下端にある前記横支持部２０２は、前記第一収容室２１と相通する第一接続口２３１及び前記横支持部２０２に分布するように設け且つ前記第一接続口２３１に近接する複数の第一螺設孔２３４を包括している。前記本体２の上端にある前記横支持部２０２は、前記第一収容室２１と相通する第三接続口２３３及び前記横支持部２０２に分布するように設け且つ前記第三接続口２３３に近接する複数の第三螺設孔２３６を包括している。本実施例において、前記第一接続口２３１、前記第二接続口２３２及び前記第三接続口２３３は、同じ孔径の円形穴であるが、これに限定するものではない。また、本実施例において、前記第一接続口２３１、前記第二接続口２３２及び前記第三接続口２３３のいずれか一つしか前記配線箱コンポーネント４、前記照明ユニット５或いは前記固定装置６に接続することができない。
【００１１】
前記電気制御コンポーネント３は、前記第一収容室２１内に設置する電源安定器３１及び前記開口２２を覆設し且つ前記前凸接部２０に螺設するカバー３２を包括している。前記電源安定器３１は、前記第一収容室２１内に設ける安定部材３１０及び前記安定部材３１０を接続し且つ前記カバー３２に向かって螺設するポジション片３１１を包括している。前記ポジション片３１１は、前記ポジション片３１１の両側にそれぞれ設ける二つの第五螺設孔３１２を包括している。前記カバー３２は、各前記第四螺設孔２２１に向かってそれぞれ開設する複数の第六螺設孔３２１と、各前記第五螺設孔３１２に向かってそれぞれ開設する複数の第七螺設孔３２２と、各前記第五螺設孔３１２をそれぞれ貫設して各前記第七螺設孔３２２に螺設する複数の第一螺設部材３３と、第一座金３４及び各前記第六螺設孔３２１をそれぞれ貫設して各前記第四螺設孔２２１に螺設する複数の第二螺設部材３５とを包括している。このことから分かるとおり、前記カバー３２は、前記開口２２を覆設すること及び前記前凸接部２０に螺設することができ、前記電源安定器３１の設置位置を有効的に提供することができる。
【００１２】
前記配線箱コンポーネント４は、電源端子台４１と、前記電源端子台４１を設置するために用いるケーシング４２と、前記ケーシング４２と前記後凸接部２０１とを接続する接続リング４４とを包括している。前記電源端子台４１は、少なくとも一つの第八螺設孔４１１を包括している。前記ケーシング４２は、前記後凸接部２０１の表面に係合する係合部４２０と、前記係合部４２０に接続して前記第二接続口２３２に向かって貫設する第二凸部４２００と、前記第二凸部４２００内に向かって開設し且つ前記電源端子台４１を設置するために用いる第二収容室４２１と、前記第二収容室４２１内に向かって延伸して相対する少なくとも一つの固定部４２２とを包括している。前記係合部４２０は、それぞれが分布して外側に向かって延伸する複数の第一フランジ４２３と、各前記第一フランジ４２３に設けて各前記第二螺設孔２３５に向かって開設する第九螺設孔４２３１と、第二座金４５及び各前記第九螺設孔４２３１をそれぞれ貫設して各前記第二螺設孔２３５に螺設する第三固定部材４６とを有している。前記固定部４２２は、前記第八螺設孔４１１に向かって開設する少なくとも一つの第十螺設孔４２２１と、前記第八螺設孔４１１を貫設して前記第十螺設孔４２２１に螺設する少なくとも一つの第四螺設部材４３とを有することで、前記電源端子台４１は前記第二収容室４２１内に固定している。前記第一接続リング４４は、前記後凸接部２０１及び前記第二凸部４２００に係合することで、前記後凸接部２０１及び前記第二凸部４２００を密封状に形成している。本実施例において、前記第八螺設孔４１１、前記第十螺設孔４２２１及び前記第四螺設部材４３はいずれも二つ設けられているが、これに限定するものではない。また、本実施例において、前記配線箱コンポーネント４は前記第二接続口２３２に設置しており、その他の実施例において、前記配線箱コンポーネント４は前記第一接続口２３１或いは前記第三接続口２３３に設置しているが、これに限定するものではない。
【００１３】
前記照明ユニット５は、照明装置５０及び接続装置５１を包括している。前記照明装置５０は、ベース５０１及び前記ベース５０１の一端に接続する照明素子５００を包括している。前記ベース５０１は、前記照明素子５００から離れた一端に、前記ベース５０１の中間に設ける第一螺設部５０２、及び前記第一螺設部５０２の外側に分布することによって前記ベース５０１を前記照明素子５００に螺設する第五螺設部材５０８を有している。前記第一螺設部５０２は、第三収容室５０３と、前記第三収容室５０３を連通するジョイント口５０４と、前記ジョイント口５０４の外側に接続する接続凸片５０５と、それぞれが前記接続凸片５０５に分布して外側に向かって延伸する複数の第二フランジ５０６と、各前記第二フランジ５０６に設ける第十一螺設孔５０７とを有している。前記接続装置５１は、前記照明装置５０及び前記第一接続口２３１を接続し且つ中空で細長い形状を呈する管体５２と、前記管体５２の上端及び前記本体２の下方にある前記横支持部２０２に接続する第二接続リング５３６と、前記管体５２の下端及び前記第一螺設部５０２に接続する第三接続リング５４６とを包括している。前記管体５２の両端は、前記第一接続口２３１に接続する第一ジョイント部５３及び前記ベース５０１にある前記第一螺設部５０２に接続する第二ジョイント部５４をそれぞれ包括している。前記第一ジョイント部５３は、前記本体２の下方にある前記横支持部２０２に係合する第二凸プレート５３１と、前記第二凸プレート５３１に分布し且つそれぞれ各前記第一螺設孔２３４に向かって開設する複数の第十二螺設孔５３２と、前記第二凸プレート５３１に接続して前記第一接続口２３１に向かって貫設する第三凸部５３３と、前記第三凸部５３３内に向かって開設する第四収容室５３４と、前記第四収容室５３４に向かって開設する螺接孔５３５と、第三座金５３７及び各前記第十二螺設孔５３２をそれぞれ貫設して各前記第一螺設孔２３４に螺設する複数の第六螺設部材５３８とを有し、前記第二凸プレート５３１を前記本体２の下方にある前記横支持部２０２に固定している。前記第二ジョイント部５４は、前記ベース５０１にある前記接続凸片５０５に係合する第三凸プレート５４１と、前記第三凸プレート５４１に分布し且つそれぞれ各前記第十一螺設孔５０７に向かって開設する複数の第十三螺設孔５４２と、前記第三凸プレート５４１に接続して前記ジョイント口５０４に向かって貫設し且つ前記第三収容室５０３に設置する第四凸部５４３と、前記第四凸部５４３内に向かって開設する第五収容室５４４と、前記第五収容室５４４に向かって開設する螺接孔５４５と、第四座金５４７及び各前記第十三螺設孔５４２をそれぞれ貫設して各前記第十一螺設孔５０７に螺設する複数の第七螺設部材５４８とを有し、前記第三凸プレート５４１を前記接続凸片５０５に固定している。前記第二接続リング５３６は、前記本体２の下方にある前記横支持部２０２及び前記第三凸部５３３に係合することで、前記本体２の下方にある前記横支持部２０２及び前記第三凸部５３３を密封状に形成している。前記第三接続リング５４６は、前記第四凸部５４３及び前記第一螺設部５０２に係合することで、前記第四凸部５４３及び前記第一螺設部５０２を密封状に形成している。本実施例において、前記照明素子５００はＬＥＤランプであるが、これに限定するものではない。また、本実施例において、前記接続装置５１は、前記管体５２にある前記第一ジョイント部５３によって前記第一接続口２３１に設置しており、その他の実施例において、前記第一ジョイント部５３は前記第二接続口２３２或いは前記第三接続口２３３に設置することができるが、これに限定するものではない。
【００１４】
前記固定装置６は、前記本体２の上方にある前記横支持部２０２に係合する第一凸プレート６１と、前記第一凸プレート６１及び前記本体２の上方にある前記横支持部２０２を接続する第四接続リング６１３と、前記第一凸プレート６１の上端に接続する固定台６２と、前記固定台６２の上端に接続して天井Ａ１に固定する固定片６３とを包括している。前記第一凸プレート６１は、前記第一凸プレート６１に接続して前記第三接続口２３３に向かって貫設する第一凸部６１１と、前記第一凸プレート６１に分布して各前記第三螺設孔２３６に向かってそれぞれ開設する複数の第十四螺設孔６１２と、第五座金６１４及び各前記第十四螺設孔６１２をそれぞれ貫設して各前記第三螺設孔２３６に螺設する複数の第八螺設部材６１５とを包括し、前記第一凸プレート６１を前記本体２の上方にある前記横支持部２０２に固定している。前記第四接続リング６１３は、前記本体２の上方にある前記横支持部２０２及び前記第一凸部６１１に係合することで、前記本体２の上方にある前記横支持部２０２及び前記第一凸部６１１を密封状に形成している。前記固定台６２は、前記固定台６２の各側面に分布する複数の凸円部６２０と、前記固定台６２の表面に設け且つその四隅に分布する複数の第十五螺設孔６２２を有する第二螺設部６２１とを包括している。前記固定片６３は、前記固定片６３の中間に設ける第三螺設部６３１と、それぞれ湾曲して前記第三螺設部６３１の両側に接続する二つの第四螺設部６３２とを包括している。前記第三螺設部６３１は、前記第三螺設部６３１に分布してそれぞれ各前記第十五螺設孔６２２に向かって開設する複数の第十六螺設孔６３３と、第六座金６３４及び各前記第十六螺設孔６３３をそれぞれ貫設して各前記第十五螺設孔６２２に螺設する複数の第九螺設部材６３５とを有している。前記第四螺設部６３２は、各前記第四螺設部６３２に分布する複数の第十七螺設孔６３７を有し、複数の第十螺設部材６３６で各前記第十七螺設孔６３７をそれぞれ貫通して天井Ａ１に固定している。本実施例において、前記固定装置６は、前記第一凸プレート６１にある前記第一凸部６１１によって前記第三接続口２３３に設置しており、その他の実施例において、前記第一凸部６１１は前記第一接続口２３１或いは前記第二接続口２３２に設置することができるが、これに限定するものではない。
【００１５】
再度、図２を参照すると、前記本体２及び前記照明ユニット５を、内部で発生した火花が外に漏れ出したことによって爆発が引き起こるといった事故から未然に防ぐため、前記第一ジョイント部５３にある前記螺接孔５３５及び前記第二ジョイント部５４にある前記螺接孔５４５に電気ケーブル密封装置９をそれそれ螺接しているが、これに限定するものではない。前記電気ケーブル密封装置９は、前記螺接孔５３５及び前記螺接孔５４５に設ける二つの圧縮素子９１と、前記螺接孔５３５及び前記螺接孔５４５に設け且つ前記圧縮素子９１の両端にそれぞれ係合する少なくとも二つのパッキン９４と、前記圧縮素子９１の前記第四収容室５３４或いは前記第五収容室５４４に近接する一端に係合して前記螺接孔５３５及び前記螺接孔５４５と螺接する圧着ボルト９２と、前記圧着ボルト９２に接続する挟持素子９３とを包括している。前記圧縮素子９１は、前記圧縮素子９１の両端を貫通する第一貫通孔９１１を有している。前記圧着ボルト９２は、前記圧着ボルト９２の両端を貫通する第二貫通孔９２０と、前記螺接孔５３５及び前記螺接孔５４５と螺接するネジ山９２１と、前記ネジ山９２１を接続し且つ前記挟持素子９３を固定するために用いる凹部９２２とを有している。前記凹部９２２は、前記凹部９２２の両端にそれぞれ設ける二つの第十八螺設孔９２３を有している。前記挟持素子９３は、それぞれ前記第十八螺設孔９２３に向かって開設して前記挟持素子９３の両端にそれぞれ設ける二つの第十九螺設孔９３１と、各前記第十九螺設孔９３１をそれぞれ貫設して各前記第十八螺設孔９２３に螺設する第十一螺設部材９３２とを有している。本実施例において、前記圧縮素子９１は防爆ゴムリングであって、前記圧着ボルト９２は金属ボルト体であるが、これに限定するものではない。さらに、前記電気ケーブル密封装置９は、密閉された装置であって、内部の特殊な気体或いは蒸気の爆発に耐えることができ、内部で発生した火花、アーク放電或いは気体によって、外部にある可燃性気体に引火することを防ぐことができる。なお、前記本体２、前記電源安定器３１、前記電源端子台４１及び前記照明素子５００は、互いに電気的に接続している。
【００１６】
次に、図６乃至図８を参照すると、本発明に係るモジュール型ＬＥＤ防爆ランプ１の第二実施例及び第三実施例を示している。第二実施例と第一実施例との差は、図６のとおり、前記接続装置５１にある前記管体５２の接続長さにあり、これによって、エリアの異なる高さに基づき、第一実施例或いは第二実施例の実施形態を選択することができる。第三実施例と第一実施例との差は、図７及び図８のとおり、前記接続装置５１にある前記管体５２の実施態様にあり、第三実施例にある前記管体５２は、円弧体且つ中空の態様で実施しており、これによって、前記固定装置６の前記本体から離れた一端を壁面Ａ２に設置して低高度作業を行い易くすることができる。従って、実務的ニーズに基づき、第一乃至第三実施例を選択することで、異なるエリアでも容易に作業を行うことができる。また、第二実施例及び第三実施例において、その他の部分の接続関係は、第一実施例と同じであるため、あえて説明は行わない。また、これ等実施例において、前記管体５２は、柱体且つ中空、或いは、円弧体且つ中空の態様で実施しているが、これに限定するものではない。
【００１７】
次に、図９及び図１０を参照すると、本発明に係るモジュール型ＬＥＤ防爆ランプ１の第四実施例を示しており、以下において叙述することは、どのようにして第四実施例の態様を形成するかにあって、その他の部分に関しては、第一実施例に係る図面及び説明を参照してほしい。
前記固定装置６は、前記本体２にある前記後凸接部２０１及び柱体１０に接続して中空状を呈する管体コンポーネント６４と、前記後凸接部２０１及び前記管体コンポーネント６４の上端を接続する第五接続リング６５６とを包括している。前記管体コンポーネント６４の両端は、前記第二接続口２３２に接続する第三ジョイント部６５及び前記管体コンポーネント６４の前記第三ジョイント部６５から離れた一端に位置する第四ジョイント部６６をそれぞれ包括している。前記第三ジョイント部６５は、前記本体２にある前記後凸接部２０１に係合する第四凸プレート６５１と、前記第四凸プレート６５１に分布し且つそれぞれ各前記第二螺設孔２３５に向かって開設する複数の第二十螺設孔６５２と、前記第四凸プレート６５１に接続して前記第二接続口２３２に向かって貫設する第五凸部６５３と、前記第五凸部６５３内に向かって開設する第六収容室６５４と、前記第六収容室６５４に向かって開設して電気ケーブル密封装置９を螺接するために用いる螺接孔６５５と、第七座金６５７及び各前記第二十螺設孔６５２をそれぞれ貫設して各前記第二螺設孔２３５に螺設する複数の第十二螺設部材６５８とを有し、前記第四凸プレート６５１を前記後凸接部２０１に固定している。前記第四ジョイント部６６は、円状を呈する丸穴６６１と及び前記丸穴６６１の外側に分布して前記丸穴６６１に近接する複数の第二十一螺設孔６６２とを有している。前記第五接続リング６５６は、前記後凸接部２０１及び前記第五凸部６５３に係合することで、前記後凸接部２０１及び前記第五凸部６５３を密封状に形成している。
【００１８】
また、前記柱体１０の上端は、前記第四ジョイント部６６に接続する第五ジョイント部１０１を包括しており、前記第五ジョイント部１０１は、前記丸穴６６１に向かって貫設する第六凸部１０２と、前記第六凸部１０２に分布してそれぞれ各前記第二十一螺設孔６６２に向かって開設する複数の第二十二螺設孔１０３と、各前記第二十一螺設孔６６２をそれぞれ貫設して各前記第二十二螺設孔１０３に螺設する複数の第十三螺設部材１０４とを有し、前記第六凸部１０２を前記丸穴６６１に固定している。前記柱体１０の下端は、床Ａ３接続している。なお、前記本体２、前記電気制御コンポーネント３、前記配線箱コンポーネント４及び前記照明ユニット５は、電気的に接続している。
【００１９】
次に、図１１及び図１２を参照すると、本発明に係るモジュール型ＬＥＤ防爆ランプ１の第五実施例を示しており、以下において叙述することは、どのようにして第五実施例の態様を形成するかにあって、その他の部分に関しては、第一実施例に係る図面及び説明を参照してほしい。
前記照明装置５０にある前記ベース５０１は、前記第一螺設部５０２の外側にそれぞれ設ける複数の第五螺設部５０９を包括しており、前記第五螺設部５０９は、各前記第五螺設部５０９に分布する複数の第二十三螺設孔５０ａを有している。前記接続装置５１は、前記第一接続口２３１を有する前記横支持部２０２に係合するプレート体５５と、前記プレート体５５の上端に接続する第一接合片５６と、前記第一接合片５６及び前記ベース５０１を接続する架台５７と、前記固定装置６及び前記ベース５０１を接続する伝送コンポーネント５８とを包括している。前記パレット体５５の両端は、前記第一接続口２３１に接続する第六ジョイント部５５０及び前記第一接合片５６に接続する第六螺設部５５１をそれぞれ包括している。前記第六ジョイント部５５０は、前記第一接続口２３１に向かって貫設する第七凸部５５２を有している。前記第六螺設部５５１は、前記第六螺設部５５１の中間に設ける第二十四螺設孔５５３と、前記第二十四螺設孔５５３の外側に分布する複数の第二十五螺設孔５５４と、それぞれ各前記第一螺設孔２３４に向かって開設し且つ前記二十四螺設孔５５３の外側及び各前記第二十五螺設孔５５４の間に設ける複数の陥没穴５５５と、各前記陥没穴５５５をそれぞれ貫設して各前記第一螺設孔２３４に螺設する複数の第十四螺設部材５５６とを有し、前記プレート体５５を前記第一接続口２３１を有する前記横支持部２０２に固定している。前記第一接合片５６は、前記第一接合片５６の表面に設ける第七螺設部５６１と、前記第一接合片５６の外側に設け且つ湾曲して前記架台５７を接続する二つの係合面５６２を包括している。前記第七螺設部５６１は、前記第七螺設部５６１の中間に設けて前記第二十四螺設孔５５３に向かって開設する第二十六螺設孔５６３と、前記第二十六螺設孔５６３の外側にそれぞれ設け且つ孔径が各前記第二十五螺設孔５５４に等しい二つの円弧形スロット５６４と、前記二十六螺設孔５６３を貫設して前記第二十四螺設孔５５３に螺設する第十五螺設部材５６５と、各前記円弧形スロット５６４を挿入して前記第二十五螺設孔５５４のうちの相対する二つに螺設する二つの第十六螺設部材５６６とを有し、前記第一接合片５６を前記プレート体５５に固定している。さらに、各前記第十五螺設部材５６５及び各前記第十六螺設部材５６６は、各前記第二十四螺設孔５５３及び各前記第二十五螺設孔５５４を枢設するようにそれぞれ接続することで、前記第一接合片５６を転動して前記架台５７及び前記ベース５０１を連動するために用い、このことから、第一実施例の図面にある前記照明素子５００は、より広い範囲を照射することができる。
【００２０】
また、前記架台５７は、各前記係合面５６２を接続する基板５７１と、それぞれ湾曲して前記基板５７１の両側に接続する二つの側板５７２と、各前記側板５７２の前記基板５７１から離れた一端にそれぞれ設け且つ湾曲状に形成する二つの第二接合片５７３と、各前記第二接合片５７３にそれぞれ設けて各前記第五螺設部５０９に向かって設ける二つの第八螺設部５７４とを包括している。各前記第八螺設部５７４は、それぞれ各前記第二十三螺設孔５０ａに向かって開設する複数の第二十七螺設孔５７５と、各前記第二十七螺設孔５７５をそれぞれ貫設して各前記第二十三螺設孔５０ａに螺設する複数の第十七螺設部材５７６とを有している。前記伝送コンポーネント５８は、伝送部材５８１と、前記伝送部材５８１の一端に接続して前記第一螺設部５０２に螺設する第一接合部材５８２と、前記伝送部材５８１の前記第一接合部材５８２から離れた一端に接続して前記固定装置６にある前記凸円部６２０のうちの一つに螺設する第二接合部材５８３とを包括している。本実施例において、前記伝送部材５８１は電線であるが、これに限定するものではない。さらに、前記第一接合部材５８２は、前記伝送部材５８１を貫設して前記照明素子５００と電気的に接続するために用いる第七収容室５８４を有しており、前記第二接合部材５８３は前記伝送部材５８１を貫設し且つ前記固定装置６を介して前記本体２の内部と電気的に接続するために用いる第八収容室５８５を有している。また、一定の範囲にしか照射できない第一実施例乃至第四実施例に比べ、第五実施例はより広い範囲を照射することができる柔軟性を有している。さらにまた、一定の防爆能力に達するため、伝送線の両端に接続する前記ベース５０１及び前記凸円部６２０のうちの一つに前記電気ケーブル密封装置をそれぞれ設置することで、内部で発生した火花が外に漏れ出したことによって爆発が引き起こるといった事故から未然に防いでいるが、これに限定するものではない。なお、前記本体２、前記電気制御コンポーネント３、前記配線箱コンポーネント４及び前記照明装置５０は、電気的に接続している。
【００２１】
また、前記モジュール型ＬＥＤ防爆ランプ１は、前記本体２の不完全密閉性によって、一定の圧力解除が保たれ、内部で発生した爆発の圧力を瞬時に前記本体２の外部に放出することができ、爆発で発生した炎は実務的防爆等級を満たした間隙バリアで、外部の安全を確保している。また、本発明に係る第一実施例乃至第五実施例で使用する接続リングは、実務的保護等級（Ｉｎｇｒｅｓｓ  Ｐｒｏｔｅｃｔｉｏｎ、ＩＰ）のニーズをさらに満たしている。
【００２２】
以上のことから、本発明は、前記本体を介して同じ孔径の前記第一接続口、前記第二接続口及び前記第三接続口を有し、前記配線箱コンポーネント、前記照明ユニット及び前記固定装置を介して前記第一接続口、前記第二接続口或いは前記第三接続口に貫設する第二凸部、第三凸部及び第一凸部をそれぞれ設けることで、前記第一接続口、前記第二接続口或いは前記第三接続口に接続することができ、様々な実施形態に設置可能な前記モジュール型ＬＥＤ防爆ランプを達している。
【符号の説明】
【００２３】
１          モジュール型ＬＥＤ防爆ランプ
２          本体
２０        前凸接部
２０１      後凸接部
２０２      横支持部
２０３      縦支持部
２１        第一収容室
２２        開口
２２１      第四螺設孔
２３１      第一接続口
２３２      第二接続口
２３３      第三接続口
２３４      第一螺設孔
２３５      第二螺設孔
２３６      第三螺設孔
３          電気制御コンポーネント
３１        電源安定器
３１０      安定部材
３１１      ポジション片
３１２      第五螺設孔
３２        カバー
３２１      第六螺設孔
３２２      第七螺設孔
３３        第一螺設部材
３４        第一座金
３５        第二螺設部材
４          配線箱コンポーネント
４１        電源端子台
４１１      第八螺設孔
４２        ケーシング
４２０      係合部
４２００    第二凸部
４２１      第二収容室
４２２      固定部
４２２１    第十螺設孔
４２３      第一フランジ
４２３１    第九螺設孔
４３        第四螺設部材
４４        第一接続リング
４５        第二座金
４６        第三固定部材
５          照明ユニット
５０        照明装置
５００      照明素子
５０１      ベース
５０２      第一螺設部
５０３      第三収容室
５０４      ジョイント口
５０５      接続凸片
５０６      第二フランジ
５０７      第十一螺設孔
５０８      第五螺設部材
５０９      第五螺設部
５０ａ      第二十三螺設孔
５１        接続装置
５２        管体
５３        第一ジョイント部
５３１      第二凸プレート
５３２      第十二螺設孔
５３３      第三凸部
５３４      第四収容室
５３５      螺接孔
５３６      第二接続リング
５３７      第三座金
５３８      第六螺設部材
５４        第二ジョイント部
５４１      第三凸プレート
５４２      第十三螺設孔
５４３      第四凸部
５４４      第五収容室
５４５      螺接孔
５４６      第三接続リング
５４７      第四座金
５４８      第七螺設部材
５５        プレート体
５５０      第六ジョイント部
５５１      第六螺設部
５５２      第七凸部
５５３      第二十四螺設孔
５５４      第二十五螺設孔
５５５      陥没穴
５５６      第十四螺設部材
５６        第一接合片
５６１      第七螺設部
５６２     係合面
５６３      第二十六螺設孔
５６４      円弧形スロット
５６５      第十五螺設部材
５６６      第十六螺設部材
５７        架台
５７１      基板
５７２      側板
５７３      第二接合片
５７４      第八螺設部
５７５      第二十七螺設孔
５７６      第十七螺設部材
５８        伝送コンポーネント
５８１      伝送部材
５８２      第一接合部材
５８３      第二接合部材
５８４      第七収容室
５８５      第八収容室
６          固定装置
６１        第一凸プレート
６１１      第一凸部
６１２      第十四螺設孔
６１３      第四接続リング
６１４      第五座金
６１５      第八螺設部材
６２        固定台
６２０      凸円部
６２１      第二螺設部
６２２      第十五螺設孔
６３        固定片
６３１      第三螺設部
６３２      第四螺設部
６３３      第十六螺設孔
６３４      第六座金
６３５      第九螺設部材
６３６      第十螺設部材
６３７      第十七螺設孔
６４        管体コンポーネント
６５        第三ジョイント部
６５１      第四凸プレート
６５２      第二十螺設孔
６５３      第五凸部
６５４      第六収容室
６５５      螺接孔
６５６      第五接続リング
６５７      第七座金
６５８      第十二螺設部材
６６        第四ジョイント部
６６１      丸穴
６６２      第二十一螺設孔
９          電気ケーブル密封装置
９１        圧縮素子
９１１      第一貫通孔
９２        圧着ボルト
９２０      第二貫通孔
９２１      ネジ山
９２２      凹部
９２３      第十八螺設孔
９３        挟持素子
９３１      第十九螺設孔
９３２      第十一螺設部材
９４        パッキン
１０        柱体
１０１      第五ジョイント部
１０２      第六凸部
１０３      第二十二螺設孔
１０４      第十三螺設部材
Ａ１        天井
Ａ２        壁面
Ａ３        床
【要約】      （修正有）【課題】様々な実施形態に設置できるモジュール型ＬＥＤランプを提供する。【解決手段】本体２と、電気制御コンポーネント３と、配線箱コンポーネント４と、照明ユニット５と、固定装置６とを包括している。本体２は、同じ孔径の第一接続口、第二接続口及び第三接続口を有している。配線箱コンポーネント４は、第一接続口、第二接続口或いは第三接続口に接続している。また、照明ユニット５は、第一接続口、第二接続口或いは第三接続口に接続している。【選択図】図４Ａ【図１】
0005777785.tif 000002
【図２】
0005777785.tif 000003
【図３】
0005777785.tif 000004
【図４Ａ】
0005777785.tif 000005
【図４Ｂ】
0005777785.tif 000006
【図５】
0005777785.tif 000007
【図６】
0005777785.tif 000008
【図７】
0005777785.tif 000009
【図８】
0005777785.tif 000010
【図９】
0005777785.tif 000011
【図１０】
0005777785.tif 000012
【図１１】
0005777785.tif 000013
【図１２】
0005777785.tif 000014